(57)【要約】【課題】簡単な構成でクロスフローファンから発生する乱流騒音の増加を抑制する空気調和機の室内機を提供する。【解決手段】貫流ファン７の前方に近接配置したスタビライザ８及び貫流ファン７の後方に位置するリアガイダ９を備え、前記スタビライザ８は吹出口へと連なるフロントガイド１０から貫流ファンに凸状に向かい合う略円弧部８ａを介して上流部に向い前記貫流ファンと所定の距離を保ち前記貫流ファンに対し凹となる円弧状の薄肉厚の延長部８ｂとからなり、前記延長部の上流側の先端は前記貫流ファンと逆方向に拡大する段差１２を有する構成としてある。これにより、貫流ファン７から発生する乱流騒音の増加を抑制することができ、しかも前記スタビライザ８の延長部先端のみを前記貫流ファンと逆方向に拡大する段差状とする簡素な構造で前記効果を実現することができる。【選択図】図３
2014088845.tif 000002
【特許請求の範囲】
【請求項１】
吸込口と吹出口を有する筐体と、前記吸込口と吹出口との間の通風路に設けた熱交換器及び熱交換器の下流側に設けた貫流ファンと、前記貫流ファンの前方に近接配置したスタビライザ及び前記貫流ファンの後方に位置するリアガイダとを備え、前記スタビライザは前記吹出口へと連なるフロントガイドから前記貫流ファンに凸状に向かい合う略円弧部を介して上流部に向い前記貫流ファンと所定の距離を保ち前記貫流ファンに対し凹となる円弧状の延長部とからなり、前記延長部の上流側の先端は前記貫流ファンと逆方向に拡大する段差を有することを特徴とした空気調和機の室内機。
【請求項２】
延長部の上流側の先端は、貫流ファンに対向する面側が前記貫流ファンとの距離が徐々に広がる傾斜面とし、前記貫流ファンと反対向する面の距離が前記貫流ファンと逆方向に拡大する段差を有することを特徴とした請求項１に記載の空気調和機の室内機。
【請求項３】
延長部の上流側の先端は、貫流ファンに対向する面の距離が前記貫流ファンと逆方向に拡大する段差を有し、前記貫流ファンと反対向する面の距離が上流側に向かい広がる凸部を有することを特徴とした請求項１に記載の空気調和機の室内機。
【請求項４】
延長部の段差の貫流ファンに対向する面の奥行き幅Ｌ１は、前記延長部の貫流ファンとの最小間隔Ｓに対し、Ｌ１＝０．３＊Ｓ〜３．０＊Ｓの関係となることを特徴とした請求項１〜３のいずれか１項に記載の空気調和機の室内機。
【請求項５】
熱交換器は貫流ファンの前後に屈折もしくは湾曲して複数配設され、少なくとも１つ以上は筐体内で前記貫流ファンの前方に近接したスタビライザの前方に位置するように設けられ、前記スタビライザの前方に設けられた熱交換器の下端が前記スタビライザの延長部の段差部より下方に位置することを特徴とした請求項１〜４のいずれか１項に記載の空気調和機の室内機。
【請求項６】
筐体の前側の面で、スタビライザの前方に位置するように設けられた熱交換器の前方あるいは下方に吸込口を設けたことを特徴とした請求項１〜５のいずれか１項に記載の空気調和機の室内機。
【発明の詳細な説明】
【技術分野】
【０００１】
本発明は、空気調和機の貫流ファンを搭載した室内機に関するものであり、特に貫流ファンの前方に配置されるスタビライザの構造に関するものである。
【背景技術】
【０００２】
一般に空気調和機の室内機は、筐体内の通風路に貫流ファンが配置してあり、前記貫流ファンの前方に近接したスタビライザと前記貫流ファンの後方から下面壁を形成するリアガイダとで前記通路風路が形成されており、吹出口に繋がっている。
【０００３】
ここで、この種の空気調和機の室内機は前記貫流ファンとスタビライザとの間の隙間が風量および騒音特性に大きな比重を占めることが知られている。
【０００４】
そこで、スタビライザの成形条件による反り・ヒズミや取付けバラツキ等があってもこれらに左右されることなく貫流ファンの回転によって発生する渦を安定化させ、騒音のバラツキおよび、風量性能のバラツキを小さくして、商品としての安定化を図る構成のものが提案されている（例えば、特許文献１参照）。
【０００５】
図８（ａ）〜（ｃ）は特許文献１に記載の空気調和機の室内機の断面図である。
【０００６】
図８（ａ）おいて、スタビライザ１０１はクロスフローファン１０２に対向して近接し、所定の寸法だけクロスフローファン１０２から離れ、かつ上部へ行くに従い円弧状に吸い込み口側へ向かって曲折させ、その先端１０１ａはシャープな山形形状のエッジで、かつ、その山形形状に対してスタビライザの裏面に所定の長さのリブ１０３を設けて構成してある。
【０００７】
また、図８（ｂ）においては、上記構成に加えてスタビライザ１０１の先端のエッジ１０１ａとリブ１０３の間に三角形状のリブ１０４をクロスフローファン１０２の軸方向に一定の間隔で複数個設けた構成としてある。
【０００８】
また、図８（ｃ）においては、エッジ先端近傍に、クロスフローファン１０２の長手方向に延び断面が略Ｕ字状の溝部１０４を形成した構成としてある。
【０００９】
このような構成においては、図８（ａ）に示すように、クロスフローファン１０２の回転によって生じる風の流れｂ１とｂ２のぶつかりあいにより発生する渦１０５の発生位置・大きさをより安定させるためには、ｂ１＞ｂ２の関係を保つことが重要になる。そのためにスタビライザ１０１の先端１０１ａを山形形状とし逆方向に第２のリブ１０３を設けることによりｂ２の量を低下させており、これにより、渦１０６の発生位置をスタビライザ１０１の先端側に近づけることができて、大きさも小さくすることが可能となり、騒音低減が実現できている。また、リブ１０３を設けたことによりスタビライザ１０１先端の強度が向上し、反り・ヒズミ等も発生しにくくなる。
【００１０】
さらに、図８（ｂ）で示すように、リブ１０３とスタビライザ１０先端間に三角形状のリブ１０４を複数個設けることにより、三角形状のリブ１０４間それぞれに負圧が生じ、その結果、渦１０６はこの三角形状のリブ１０４間で発生することになり、さらに低騒音化を図ることができる。
【００１１】
また、図８（ｃ）で示すように、スタビライザ１０１の先端を断面略Ｕ字状の溝部１０
５とすることにより、前記溝部１０５が完全な負圧部となり、ｂ２の風を溝部１０５内に引き込むような状態になって、渦１０６を発生しにくくすることができる。
【００１２】
このような形状にすることにより、多少の組立バラツキや成形上のバラツキが発生しても渦１０６の発生位置・大きさの安定が保て、圧力特性を向上させ渦から生じる騒音を低下させることができる、というものである。
【先行技術文献】
【特許文献】
【００１３】
【特許文献１】特開平７−１９０３９６号公報
【発明の概要】
【発明が解決しようとする課題】
【００１４】
しかしながら、上記の特許文献１に記載の従来の構成では、クロスフローファン１０２とスタビライザ１０１の先端部の間を流れる流れｂ１が、クロスフローファン１０２とスタビライザ１０１と間の距離がその先端部までほぼ一定のため減速されず先端部から上流側に吹き出す。一方、スタビライザ１０１の前方の熱交換器を通過し延長部の反クロスフローファン側から先端部を迂回する流れｂ２はリブ１０３により妨げられ減速される。そして、先のクロスフローファン１０２とスタビライザ１０１の先端部の間から上流側に吹き出す流れｂ１と合流する際、ｂ１とｂ２の気流方向と流速が異なる流れが合流することで、大きなせん断力が働き、合流後に乱れが増加してクロスフローファン１０２内部に吸い込まれる。その結果、クロスフローファン１０２内のスタビライザ１０１近傍に生成される循環渦１０６の不安定さを助長し、クロスフローファン１０２から発生する乱流騒音が増加するという課題を残していた。
【００１５】
また、３次元的に複雑な形状をしているスタビライザ１０１にさらにリブ１０３、三角形状のリブ１０４や溝部１０５を設けることで、成形用金型の割り位置が複雑となり、場合によっては複数の方向にスライドする金型が必要になるなど高度でかつ複雑な成形方法が必要となり、成形時間、コストがかかる構造になるという課題も有していた。
【００１６】
本発明は、上記従来の課題を解決するもので、簡単な構成でクロスフローファンから発生する乱流騒音の増加を抑制する空気調和機の室内機を提供することを目的としたものである。
【課題を解決するための手段】
【００１７】
本発明は、上記従来の課題を解決するために、吸込口と吹出口を有する筐体と、前記吸込口と吹出口との間の通風路に設けた熱交換器及び熱交換器の下流側に設けた貫流ファンと、前記貫流ファンの前方に近接配置したスタビライザ及び前記貫流ファンの後方に位置するリアガイダとを備え、前記スタビライザは前記吹出口へと連なるフロントガイドから前記貫流ファンに凸状に向かい合う略円弧部を介して上流部に向い前記貫流ファンと所定の距離を保ち前記貫流ファンに対し凹となる円弧状の延長部とからなり、前記延長部の上流側の先端は前記貫流ファンと逆方向に拡大する段差を有する構成としてある。
【００１８】
これにより、延長部先端の貫流ファンと逆方向に拡大する段差により、前記貫流ファンと前記延長部の間隔が広がることになり、その間を流れる気流が減速されるとともに、延長部の反貫流ファン側から延長部の先端を迂回する流れも緩やかに屈曲して貫流ファンに流入する。そのため、貫流ファンとスタビライザの先端部の間から上流側に吹出す気流と、スタビライザの前方の熱交換器を通過し延長部の反貫流ファン側から先端部を迂回する流れが貫流ファンに流入する時に合流する際の乱れを抑え、そして貫流ファン内のスタビライザ近傍に生成される循環渦を安定させる。その結果、貫流ファンから発生する乱流騒
音の増加を抑制することができる。また、上記の作用を前記スタビライザの前記延長部の先端のみを前記貫流ファンと逆方向に拡大する段差状とする簡素な構造で実現することができ、スタビライザを成形する金型の割位置も延長部の先端などに設けることが可能となって、高度で複雑な成形方法が不要となり、成形時間・コストがかからない構造とすることができる。
【発明の効果】
【００１９】
本発明の空気調和機の室内機は、高度で複雑な成形方法が不要で成形時間・コストがかからない簡素な構造にて、貫流ファン内のスタビライザ近傍に生成される循環渦を安定させ、貫流ファンから発生する乱流騒音の増加を抑制することができる。
【図面の簡単な説明】
【００２０】
【図１】本発明の実施の形態１における空気調和機の室内機の斜視図
【図２】同実施の形態１における室内機の断面図
【図３】同実施の形態１におけるスタビライザ周辺の気流の流れを示す要部拡大図
【図４】同実施の形態１におけるスタビライザ周辺の寸法関係を示す要部拡大図
【図５】同実施の形態１におけるスタビライザの延長部の段差の貫流ファンに対向する面の奥行き幅Ｌ１と、延長部の貫流ファンとの最小間隔Ｓとの比と送風騒音との関係を示す特性図
【図６】本発明の実施の形態２におけるスタビライザ周辺の構造と気流の流れを示す要部拡大図
【図７】本発明の実施の形態３におけるスタビライザ周辺の構造と気流の流れを示す要部拡大図
【図８】（ａ）は従来の空気調和機の室内機のスタビライザ周辺の構造を示す要部断面拡大図、（ｂ）は同他の例を示す要部断面拡大図、（ｃ）は更に他の例を示す要部断面拡大図
【発明を実施するための形態】
【００２１】
第１の発明は、吸込口と吹出口を有する筐体と、前記吸込口と吹出口との間の通風路に設けた熱交換器及び熱交換器の下流側に設けた貫流ファンと、前記貫流ファンの前方に近接配置したスタビライザ及び前記貫流ファンの後方に位置するリアガイダとを備え、前記スタビライザは前記吹出口へと連なるフロントガイドから前記貫流ファンに凸状に向かい合う略円弧部を介して上流部に向い前記貫流ファンと所定の距離を保ち前記貫流ファンに対し凹となる円弧状の延長部とからなり、前記延長部の上流側の先端は前記貫流ファンと逆方向に拡大する段差を有する構成としてある。
【００２２】
これにより、延長部先端の貫流ファンと逆方向に拡大する段差により、前記貫流ファンと前記延長部の間隔が広がることになり、その間を流れる気流が減速されるとともに、延長部の反貫流ファン側から延長部の先端を迂回する流れも緩やかに屈曲して貫流ファンに流入する。そのため、貫流ファンとスタビライザの先端部の間から上流側に吹出す気流と、スタビライザの前方の熱交換器を通過し延長部の反貫流ファン側から先端部を迂回する流れが貫流ファンに流入する時に合流する際の乱れを抑え、そして貫流ファン内のスタビライザ近傍に生成される循環渦を安定させる。その結果、貫流ファンから発生する乱流騒音の増加を抑制することができる。また、上記の作用を前記スタビライザの前記延長部の先端のみを前記貫流ファンと逆方向に拡大する段差状とする簡素な構造で実現することができ、スタビライザを成形する金型の割位置も延長部の先端などに設けることが可能となって、高度で複雑な成形方法が不要となり、成形時間・コストがかからない構造とすることができる。
【００２３】
第２の発明は、第１の発明において、前記延長部の上流側の先端は、前記貫流ファンに
対向する面側が前記貫流ファンとの距離が徐々に広がる傾斜面とし、前記貫流ファンと反対向する面の距離が前記貫流ファンと逆方向に拡大する段差を有する構成としてある。
【００２４】
これにより、延長部の上流側の先端において、貫流ファンと延長部の間隔が急拡大することにより気流が急に減速され乱れるようなことがなくなり、徐々に減速することになる。よって上記の流れと、スタビライザの前方の熱交換器を通過し延長部の反貫流ファン側から先端部を迂回する流れが貫流ファンに流入して合流する際に乱れず合流し、そして貫流ファン内のスタビライザ近傍に生成される循環渦をより安定させることができる。その結果、貫流ファンから発生する乱流騒音の発生をより確実に低減することができる。
【００２５】
第３の発明は、第１の発明において、前記延長部の上流側の先端は、前記貫流ファンに対向する面の距離が前記貫流ファンと逆方向に拡大する段差を有し、前記貫流ファンと反対向する面の距離が上流側に向かい広がる凸部を有する構成としてある。
【００２６】
これにより、前記延長部の上流側の先端において、延長部の反貫流ファン側から延長部の先端を迂回する流れが前記スタビライザの前記先端部をより大きな曲率半径となりって屈曲して貫流ファンに流入するようになる。従って、前記貫流ファンに対向する面の距離が前記貫流ファンと逆方向に拡大する段差により貫流ファンとスタビライザの先端部の間から上流側に吹出す気流が減速され、貫流ファンに流入して合流する際に、上記の流れがより減速され、流れの方向も前記貫流ファンとスタビライザの先端部の間から上流側に吹出す気流と略同方向となるため乱れがより抑えられ、貫流ファン内のスタビライザ近傍に生成される循環渦をより安定させることができる。その結果、貫流ファンから発生する乱流騒音の発生をより低減することができる。
【００２７】
第４の発明は、第１〜第３の発明において、前記延長部の段差の貫流ファンに対向する面の奥行き幅Ｌ１は、前記延長部の貫流ファンとの最小間隔Ｓに対し、Ｌ１＝０．３＊Ｓ〜３．０＊Ｓの関係となるように構成したものである。
【００２８】
これにより、延長部の先端の前記貫流ファンと逆方向に拡大する段差との間の気流の減速が適正化される共に、貫流ファンとスタビライザ先端部の距離が適正化されることで、貫流ファンとしての圧力特性が適正に確保され、必要な空力特性を確保する回転数を最も低く抑えることができ、その結果、室内機の送風騒音の発生を最も低く抑えることができる。
【００２９】
第５の発明は、第１〜第４の発明において、前記熱交換器は前記貫流ファンの前後に屈折もしくは湾曲して複数配設され、少なくとも１つ以上は前記筐体内で前記貫流ファンの前方に近接したスタビライザの前方に位置するように設けられ、前記スタビライザの前方に設けられた熱交換器の下端が前記スタビライザの延長部の段差部より下方に位置する構成としてある。
【００３０】
これにより、熱交換器の前面の下端を前記スタビライザの前方の延長部の段差部より低い位置に配置して貫流送風機の送風騒音を増加させることなく、室内機の貫流ファン前後において構造的に最大面積となるように熱交換器を配置し、最大の熱交換性能を確保することができる。
【００３１】
第６の発明は、第１〜第５の発明において、筐体の前側の面で、スタビライザの前方に位置するように設けられた熱交換器の前方あるいは下方に吸込口を設けた構成としてある。
【００３２】
これにより、スタビライザの前方の熱交換器の前方あるいは下方に吸込口より空気を流
入させることができ、熱交換器を介して貫流ファンの送風騒音を増加させることなく最大の熱交換性能を確保することができ、室内機の騒音を低く抑えて、空気調和機としてサイクル性能を最大に発揮することができる。
【００３３】
以下、本発明の実施の形態について、図面を参照しながら説明する。なお、この実施の形態によって本発明が限定されるものではない。
【００３４】
（実施の形態１）
図１は本発明の実施の形態１における空気調和機の室内機の斜視図、図２は同実施の形態１における室内機の断面図、図３は同実施の形態１におけるスタビライザ周辺の気流の流れを示す要部拡大図、図４は同実施の形態１におけるスタビライザ周辺の寸法関係を示す要部拡大図、図５は同実施の形態１におけるスタビライザの延長部の段差の貫流ファンに対向する面の最小奥行き幅Ｌ１と、前記延長部の貫流ファンとの最小間隔Ｓとの比と送風騒音との関係示す特性図である。
【００３５】
図１〜図３に示すように、空気調和機の室内機１は、筐体２に、吸込口３と、熱交換器４と、吹出口５と、通風路６を備え、前記熱交換器４と吹出口５の間の通風路６に貫流ファン７を配置してある。また、貫流ファン７の前方であって回転軸方向にスタビライザ８を備え、貫流ファン７の後方には下面壁を形成するリアガイダ９が設けられている。そしてこれらスタビライザ８とリアガイダ９によって構成した通風路６は吹出口５に繋がっている。
【００３６】
スタビライザ８は吹出口５へと連なるフロントガイド１０から、貫流ファン７に凸状に向かい合う略円弧部８ａ、当該略円弧部８ａからさらに上流部に向かい貫流ファン７と所定の距離を保ち貫流ファン７に対し凹となる円弧状の薄肉厚の延長部８ｂとからなり、延長部８ｂの上流側の先端８ｃは貫流ファン７と逆方向に拡大する段差１２を有している。
【００３７】
また、熱交換器４は貫流ファン７の前後に屈折して４つ配設され、熱交換器４のうち最下段の熱交換器４ｄは筐体２内で貫流ファン７の前方に近接したスタビライザ８の前方に位置するように設けられ、熱交換器４の下端４ｄ１がスタビライザ８の延長部８ｂの段差１２より下方に位置するように設置してある。
【００３８】
また、室内機１は、筐体２の前方に開閉自在なパネル２ａを設けており、スタビライザ８の前方に位置する熱交換器４ｄの前方に吸込口２ｂを形成するようになっている。
【００３９】
以上のように構成された空気調和機の室内機について、以下、その動作、作用を説明する。
【００４０】
まず、貫流ファン７が回転することで、筐体２の吸込口２ｂ、３より空気が吸込まれ、熱交換器４を通過する際、熱交換器４内を流れる冷媒と通過する空気との間で熱が移動し、熱交換器４を通過した空気が貫流ファン７内からフロントガイド１０と、リアガイダ９からなる通風路６を流れる間に動圧と静圧が付加され、送風作用を為す。そして、吹出口５から筐体２外に空気が吹き出し、室内機１として空調運転する。
【００４１】
ここで、延長部８ｂの先端８ｃの貫流ファン７と逆方向に拡大する段差１２により、貫流ファン７と延長部８ｂの先端８ｃの間隔が広がることになり、その間の気流ｂ１が減速される。また、気流ｂ２は延長部８ｂの貫流ファン７の反対側から延長部８ｂの先端８ｃを迂回する際、緩やかに屈曲して貫流ファン７に流入する。そのため、気流ｂ１と、気流ｂ２が貫流ファン７に流入する時に合流する際の乱れを抑え、そして貫流ファン７内のスタビライザ８近傍に生成される循環渦を安定させる。その結果、貫流ファン７から発生す
る乱流騒音の増加を抑制することができる。
【００４２】
また、上記の作用をスタビライザ８の延長部８ｂの先端８ｃのみを貫流ファン７と逆方向に拡大する段差状とする簡素な構造で実現することができ、これによりスタビライザ８を成形する金型の割位置も延長部８ｂの先端８ｃなどに設けることが可能となり、高度で複雑な成形方法が不要であり、成形時間・コストがかからない構造とすることができる。
【００４３】
また、熱交換器４のうち最下段の熱交換器４ｄは、筐体２内で貫流ファン７の前方に近接したスタビライザ８の前方に位置していて、熱交換器４の下端４ｄ１がスタビライザ８の延長部８ｂの段差１２より下方に位置しているから、貫流ファン７の送風騒音を増加させることなく、熱交換器４をその熱交換面積が構造的に最大面積となるように配置することができ、最大の熱交換性能を確保することができる。
【００４４】
また、室内機１の筐体２の前方に設けたパネル２ａは、熱交換器４ｄの前方に吸込口２ｂを形成するように開くことにより、スタビライザ８前方の熱交換器４ｄの前方の吸込口２ｂより空気を流入させることができる。よって、熱交換器４ｄを介して貫流ファン７の送風騒音を増加させることなく最大の熱交換性能を確保することができ、室内機１の騒音を低く抑えて、空気調和機として最大のサイクル性能を発揮することができる。
【００４５】
ここで、図４に示す延長部８ｂの段差１２の貫流ファン７に対向する面の奥行き幅Ｌ１は、図５に示すように、延長部８ｂの貫流ファン７との最小間隔Ｓに対し、Ｌ１＝０．３＊Ｓ〜３．０＊Ｓの関係になるように設定すると前記した効果が最大限に発揮される。尚、最小間隔Ｓは、貫流ファンの外径をｄ２した場合、Ｓは０．０２＊ｄ２〜０．０７＊ｄ２の範囲にあるものであり、その結果、延長部８ｂの先端８ｃの貫流ファン７と逆方向に拡大する段差１２により貫流ファン７と延長部８ｂの間隔が広がることで、その間の気流ｂ１の減速が適正化される共に、貫流ファン７とスタビライザ８の先端８ｃの距離が適正化されることで貫流ファンとしての圧力特性が適正に確保され必要な空力特性を確保する回転数を最も低く抑えることができ、その結果、室内機１の送風騒音の発生を最も低く抑えることができる。
【００４６】
（実施の形態２）
図６は実施の形態２におけるスタビライザ周辺の構造と気流の流れを示す要部拡大図である。尚、実施の形態１と同じ構成要件については同一の符号を付して説明を省略する。
【００４７】
図６に示すように、延長部８ｂの上流側の先端８ｃにおいて、貫流ファン７に対向する面側は貫流ファン７との距離が徐々に広がる傾斜面１３とし、貫流ファン７と反対向する面の距離が貫流ファン７と逆方向に拡大する段差１４を有している。
【００４８】
これにより、延長部８ｂの上流側の先端８ｃにおいて、貫流ファン７に対向する側が貫流ファン７との距離が徐々に広がる傾斜面１３となっていて、貫流ファン７と延長部８ｂとの間の間隔が急拡大して気流ｂ１が急に減速され乱れることがなく、徐々に減速することができる。従って、この気流ｂ１とスタビライザ８の前方の熱交換器４ｄを通過し延長部８ｂの反貫流ファン７側から先端８ｃを迂回する気流ｂ２が貫流ファン７に流入する時に乱れずに合流し、そして貫流ファン７内のスタビライザ８近傍に生成される循環渦をより安定させる。その結果、貫流ファン７から発生する乱流騒音の発生を低減することができる。
【００４９】
（実施の形態３）
図７は実施の形態３におけるスタビライザ周辺の構造と気流の流れを示す要部拡大図である。尚、実施の形態１と同じ構成要件については同一の符号を付して説明を省略する。
【００５０】
図７に示すよう、延長部８ｂの上流側の先端８ｃは、貫流ファン７に対向する面の距離が貫流ファン７と逆方向に拡大する段差１５を有し、貫流ファン７と反対向する面の距離が上流側に向かい広がる凸部１６を有している。
【００５１】
これにより、貫流ファン７と反対向する面の距離が上流側に向かい広がる凸部１６となっているから、気流ｂ２が延長部８ｂの反貫流ファン７側から延長部８ｂの先端８ｃを迂回する際、スタビライザ８の先端８ｃをより大きな曲率半径で迂回して貫流ファン７に流入する。従って、貫流ファン７とスタビライザ８の先端８ｃの間から上流側に吹出す気流ｂ１が減速されるとともに、気流ｂ２はより減速され、その気流ｂ２の流れの方向も貫流ファン７とスタビライザ８の先端８ｃの間から上流側に吹出す気流ｂ１と略同方向となって乱れがより抑えられ、貫流ファン７内のスタビライザ８近傍に生成される循環渦をさらに安定させることができる。その結果、貫流ファン７から発生する乱流騒音の発生をより低減することができる。
【産業上の利用可能性】
【００５２】
以上のように本発明は、貫流ファンに流入する流れの乱れを抑え、貫流ファン内のスタビライザ近傍に生成される循環渦を安定させて、貫流ファンから発生する乱流騒音の増加を抑制することができ、家庭用空気調和機のセパレート型の室内ユニットや業務用空気調機の室内ユニットのみならず、業務用の冷凍機器や、商業用、工業用エアカーテン機器等の用途にも適用できる。
【符号の説明】
【００５３】
１  室内機
２  筐体
２ａ  パネル
３、２ｂ  吸込口
４、４ｄ  熱交換器
５  吹出口
６  通風路
７  貫流ファン
８  スタビライザ
８ａ  略円弧部
８ｂ  延長部
８ｃ  先端
９  リアガイダ
１０  フロントガイド
１２、１４、１５  段差
１３  傾斜面
１６  凸部
【図１】
2014088845.tif 000003
【図２】
2014088845.tif 000004
【図３】
2014088845.tif 000005
【図４】
2014088845.tif 000006
【図５】
2014088845.tif 000007
【図６】
2014088845.tif 000008
【図７】
2014088845.tif 000009
【図８】
2014088845.tif 000010